(57)【要約】【課題】タイムシフト再生を行なうときに、バッファ中にＣＨが変更されていた境目に変更されたＣＨの表示を行なうためのデータ記録再生装置を提供する。【解決手段】番組データがハードディスク２２に格納される間、操作装置２によるチャンネル変更指示に応じて、変更されたチャンネルの情報を含むチャンネル情報データを生成し、チャンネル情報データをハードディスク２２に格納するための制御部１６と、外部の機器と接続するための出力端子１４とを備え、制御部１６は、番組データのタイムシフト再生時に、一時保存領域からチャンネル情報データを読み出す毎に、チャンネル情報データに含まれる再生チャンネル情報をメモリ２６に格納し、再生チャンネル情報に基づいて、チャンネル表示信号を生成して、出力端子１４を介して外部に出力する。【選択図】        図１
2004350142.tif 000002
【特許請求の範囲】
【請求項１】
映像データおよび音声データのうち少なくとも一方を含む番組データを一時保存するとともに、タイムシフトする再生を行なうための制御手段を備えるデータ記録再生装置において、
前記制御手段は、
前記番組データがリングバッファである一時保存領域に格納される間、チャンネルの変更指示に応じて、変更された変更チャンネルの情報を含むチャンネル情報データを生成するためのチャンネル情報データ生成手段と、
前記一時保存領域において、変更される前の前記チャンネルに対応する変更前の番組データと、前記変更チャンネルに対応する変更後の番組データとの間に、前記チャンネル情報データを格納するためのチャンネル情報データ記録手段と、
タイムシフトさせた再生位置から前記番組データを読み出す時に、前記一時保存領域から前記チャンネル情報データを読み出す毎に、前記チャンネル情報データに含まれる前記再生チャンネルの情報を格納するためのチャンネル情報格納手段とを含み、
前記再生チャンネル情報に基づいて、表示手段による前記番組データに対応する前記チャンネルの表示とインターフェースを介して前記チャンネルの表示信号の外部への出力とのうち少なくとも一方を行なうことを特徴とする、データ記録再生装置。
【請求項２】
データの記録および再生のうちの少なくとも一方を行なうためのデータ記録再生装置であって、
外部からの入力指示を受けるための入力手段と、
前記入力指示に基づいて選択されるチャンネルに対応する映像データおよび音声データのうち少なくとも一方を含む番組データを受信するための受信手段と、前記番組データを格納に適した形式に変換するための格納データ変換手段と、
変換された前記番組データを格納するための番組データ記憶手段とを備え、
前記番組データ記憶手段は、前記番組データを一時格納するためのリングバッファである一時保存領域を含み、
前記一時保存領域に格納された前記番組データを再生に適した形式に変換するための再生データ変換手段と、
前記データ記録再生装置の動作を制御するための制御手段とをさらに備え、
前記制御手段は、
前記番組データが前記一時保存領域に格納される間、前記一時保存領域において、前記入力手段による指示に基づく読み出し位置から順次読み出していくためのタイムシフト読み出し手段と、
前記番組データが前記一時保存領域に格納される間、前記入力手段によるチャンネル変更指示に応じて、変更された変更チャンネルの情報を含むチャンネル情報データを生成するためのチャンネル情報データ生成手段と、
前記一時保存領域において、変更される前の前記チャンネルに対応する変更前の番組データと、前記変更チャンネルに対応する変更後の番組データとの間に、前記チャンネル情報データを格納するためのチャンネル情報データ記録手段とを含む、データ記録再生装置。
【請求項３】
外部の機器と接続するためのインターフェースをさらに備え、
前記制御手段は、前記チャンネルの情報を格納するためのチャンネル情報格納手段をさらに含み、
前記チャンネル情報格納手段は、前記一時保存データ読み出し手段による前記番組データの読み出し時に、前記一時保存領域から前記チャンネル情報データを読み出す毎に、前記チャンネル情報データに含まれる前記再生チャンネル情報を格納し、
前記再生チャンネル情報に基づいて、再生チャンネルを表示するためのチャンネル表示信号を生成するためのチャンネル表示信号生成手段をさらに含み、
前記チャンネル表示信号に基づいて、チャンネル表示画像を生成するためのチャンネル表示画像生成手段と、
前記インターフェースを介して、前記チャンネル表示画像を外部に出力する、請求項２記載のデータ記録再生装置。
【請求項４】
前記番組データに対応する前記チャンネルの表示を行なうための表示手段をさらに備え、
前記制御手段は、前記チャンネルの情報を格納するためのチャンネル情報格納手段をさらに含み、
前記チャンネル情報格納手段は、前記一時保存データ読み出し手段による前記番組データの読み出し時に、前記一時保存領域から前記チャンネル情報データを読み出す毎に、前記チャンネル情報データに含まれる前記再生チャンネル情報を格納し、
前記再生チャンネル情報に基づいて、再生チャンネルを表示するためのチャンネル表示信号を生成するためのチャンネル表示信号生成手段をさらに含み、
前記チャンネル表示信号に基づいて、前記表示手段により前記チャンネル表示を行なう、請求項２記載のデータ記録再生装置。
【請求項５】
前記チャンネル情報格納手段は、前記入力手段により前記チャンネル変更指示を受ける毎に、前記変更チャンネルに対応する録画チャンネル情報をさらに格納し、
前記チャンネル表示信号は、前記再生チャンネル情報と前記録画チャンネル情報とに基づいて、前記チャンネル表示信号生成手段により生成される前記再生チャンネルおよび録画チャンネルを表示するための再生・録画チャンネル表示信号を含む、請求項３および請求項４のうちのいずれかに記載のデータ記録再生装置。
【発明の詳細な説明】
【０００１】
【発明の属する技術分野】
本発明は、タイムシフト機能を有するテレビジョン放送の録画・再生を行なうためのデータ記録再生装置に関し、特に、録画・再生を行なう番組に対応するチャンネルの表示に関する。
【０００２】
【従来の技術】
従来、アナログテレビジョン放送に含まれるテレビジョン信号（以下、ＴＶ信号とする。）を、チューナを介して受け取った後、ＭＰＥＧエンコーダによりエンコードしたＭＰＥＧデータを一時的にハードディスク等の記録媒体に格納して、一時格納するとともに、巻き戻しなどにより時間をずらした（タイムシフトした）再生ポイントからのＭＰＥＧデータの読出表示を可能とする、いわゆるタイムシフト機能を有するデータ記録再生装置がある。
【０００３】
たとえば、従来例としては、タイムシフト機能を有した表示装置について、以下のような構成が公知である（たとえば、特許文献１参照）。すなわち、従来例では、受信した表示用信号を記憶媒体に記憶してタイムシフトして出力するタイムシフト部を有した装置において、タイムシフトに関するユーザ操作が入力されない限り、特定のチャンネルの表示用信号を、タイムシフト部を制御してタイムシフトして出力するインテリジェント機能を有する表示装置の構成が開示されている。
【０００４】
【特許文献１】
特開２００１−３０９２６８号公報明細書
【０００５】
【発明が解決しようとする課題】
上述したように、従来、タイムシフト機能を有するデータ記録再生装置において、タイムシフト中の表示については、特許文献１のように、タイムシフト中であることの表示は得られる。しかしながら、ＯＳＤ（Ｏｎ  Ｓｃｒｅｅｎ  Ｄｉｓｐｌａｙ）を用いたチャンネル（以下、ＣＨとする。）の表示については、一時格納中のＭＰＥＧデータに対応するＣＨの表示が行なわれている。すなわち、タイムシフトして指定された再生ポイントから再生を行なうときの、ＭＰＥＧデータに対応するＣＨ表示は行なわれていない。
【０００６】
本発明は、上記のような問題点を解決するためになされたものであって、その目的は、タイムシフト機能を有するデータ記録再生装置において、タイムシフトして指定された再生ポイントから再生を行なうときに、一時格納中にＣＨが変更されていた境目に変更されたＣＨの表示を行なうためのデータ記録再生装置を提供することである。
【０００７】
【課題を解決するための手段】
上記目的を達成するために、本発明の１つの局面に従うと、データの記録および再生のうちの少なくとも一方を行なうためのデータ記録再生装置であって、外部からの入力指示を受けるための入力手段と、入力指示に基づいて選択されるチャンネルに対応する映像データおよび音声データのうち少なくとも一方を含む番組データを受信するための受信手段と、番組データを格納に適した形式に変換するための格納データ変換手段と、変換された番組データを格納するための番組データ記憶手段とを備え、番組データ記憶手段は、番組データを一時格納するためのリングバッファである一時保存領域を含み、一時保存領域に格納された番組データを再生に適した形式に変換するための再生データ変換手段と、番組データに対応するチャンネルの表示を行なうための表示手段と、外部の機器と接続するためのインターフェースと、データ記録再生装置の動作を制御するための制御手段とをさらに備え、制御手段は、番組データが一時保存領域に格納される間、一時保存領域において、入力手段による指示に基づく読み出し位置から順次読み出していくためのタイムシフト読み出し手段と、番組データが一時保存領域に格納される間、入力手段によるチャンネル変更指示に応じて、変更された変更チャンネルの情報を含むチャンネル情報データを生成するためのチャンネル情報データ生成手段と、一時保存領域において、変更される前のチャンネルに対応する変更前の番組データと、変更チャンネルに対応する変更後の番組データとの間に、チャンネル情報データを格納するためのチャンネル情報データ記録手段と、チャンネルの情報を格納するためのチャンネル情報格納手段とを含み、チャンネル情報格納手段は、一時保存データ読み出し手段による番組データの読み出し時に、一時保存領域からチャンネル情報データを読み出す毎に、チャンネル情報データに含まれる再生チャンネル情報を格納し、再生チャンネル情報に基づいて、表示手段によるチャンネルの表示およびインターフェースを介して外部にチャンネルの表示信号の出力のうち少なくとも一方を行なう。
【０００８】
本発明の他の局面に従うと、データの記録および再生のうちの少なくとも一方を行なうためのデータ記録再生装置であって、外部からの入力指示を受けるための入力手段と、入力指示に基づいて選択されるチャンネルに対応する映像データおよび音声データのうち少なくとも一方を含む番組データを受信するための受信手段と、番組データを格納に適した形式に変換するための格納データ変換手段と、変換された番組データを格納するための番組データ記憶手段とを備え、番組データ記憶手段は、番組データを一時格納するためのリングバッファである一時保存領域を含み、一時保存領域に格納された番組データを再生に適した形式に変換するための再生データ変換手段と、データ記録再生装置の動作を制御するための制御手段とをさらに備え、制御手段は、番組データが一時保存領域に格納される間、一時保存領域において、入力手段による指示に基づく読み出し位置から順次読み出していくためのタイムシフト読み出し手段と、番組データが一時保存領域に格納される間、入力手段によるチャンネル変更指示に応じて、変更された変更チャンネルの情報を含むチャンネル情報データを生成するためのチャンネル情報データ生成手段と、一時保存領域において、変更される前のチャンネルに対応する変更前の番組データと、変更チャンネルに対応する変更後の番組データとの間に、チャンネル情報データを格納するためのチャンネル情報データ記録手段とを含む。
【０００９】
好ましくは、外部の機器と接続するためのインターフェースをさらに備え、制御手段は、チャンネルの情報を格納するためのチャンネル情報格納手段をさらに含み、チャンネル情報格納手段は、一時保存データ読み出し手段による番組データの読み出し時に、一時保存領域からチャンネル情報データを読み出す毎に、チャンネル情報データに含まれる再生チャンネル情報を格納し、再生チャンネル情報に基づいて、再生チャンネルを表示するためのチャンネル表示信号を生成するためのチャンネル表示信号生成手段をさらに含み、チャンネル表示信号に基づいて、チャンネル表示画像を生成するためのチャンネル表示画像生成手段と、インターフェースを介して、チャンネル表示画像を外部に出力する。
【００１０】
好ましくは、番組データに対応するチャンネルの表示を行なうための表示手段をさらに備え、制御手段は、チャンネルの情報を格納するためのチャンネル情報格納手段をさらに含み、チャンネル情報格納手段は、一時保存データ読み出し手段による番組データの読み出し時に、一時保存領域からチャンネル情報データを読み出す毎に、チャンネル情報データに含まれる再生チャンネル情報を格納し、再生チャンネル情報に基づいて、再生チャンネルを表示するためのチャンネル表示信号を生成するためのチャンネル表示信号生成手段をさらに含み、チャンネル表示信号に基づいて、表示手段によりチャンネル表示を行なう。
【００１１】
好ましくは、チャンネル情報格納手段は、入力手段によりチャンネル変更指示を受ける毎に、変更チャンネルに対応する録画チャンネル情報をさらに格納し、チャンネル表示信号は、再生チャンネル情報と録画チャンネル情報とに基づいて、チャンネル表示信号生成手段により生成される再生チャンネルおよび録画チャンネルを表示するための再生・録画チャンネル表示信号を含む。
【００１２】
【発明の実施の形態】
以下、図面を参照しつつ本発明の実施の形態について詳細に説明する。以下の説明では、同一の構成部分には同一の符号を付してあり、それらの名称および機能も同じである。したがって、それらについて詳細な説明は繰り返さない。
【００１３】
［実施の形態１］
図１は、本発明のデータ記録再生装置の一例である情報記録再生装置１００の構成を示すための機能ブロック図である。
【００１４】
図１を参照して、情報記録再生装置１００は、筐体１と、ユーザからの指示入力を受けるための操作装置２と、再生・録画情報等の表示を行なうための表示装置４と、テレビジョン放送に含まれるＴＶ信号を受信するためのチューナ６と、チューナ６から供給されるＴＶ信号をＭＰＥＧエンコードするためのＭＰＥＧエンコーダ８と、エンコードされたＭＰＥＧデータを格納するためのハードディスク装置１０と、ＭＰＥＧデータをＴＶ信号にデコードするためのＭＰＥＧデコーダ１２と、外部にＴＶ信号を出力するための出力端子１４と、情報記録再生装置１００の動作を制御するための制御部１６とを備える。
【００１５】
制御部１６は、再生・録画情報を格納するためのメモリ２６を有するシステム制御回路１８と、メモリ２６に格納された情報に基づいてＯＳＤ画像を生成するためのＯＳＤ画像生成回路２０を含む。
【００１６】
また、ハードディスク装置１０は、ハードディスク２２と、ハードディスク２２に対してデータの書き込みおよび読み出しを行なうための記録・再生ヘッド２４とを含む。
【００１７】
なお、ＴＶ信号は、映像信号および音声信号のうちの少なくとも一方を含む。次に、本発明の実施の形態１における情報記録再生装置１００の動作についての説明を行なう。
【００１８】
操作装置２を用いたユーザによる各種操作に応じて、システム制御回路１８は、情報記録再生装置１００を動作させることができる。
【００１９】
「各種操作」とは、たとえば、放送ＣＨ指定操作、録画済み番組指定操作、録画指令操作、再生指令操作、録画停止操作、再生停止操作等である。
【００２０】
また、操作装置２は、ユーザの操作に応じて、各種操作信号をシステム制御回路１８に供給する。なお、操作装置２は、筐体１の表面に設けられてもよいし、情報記録再生装置１００の筐体１とは分離しているリモートコントローラであってもよい。
【００２１】
ユーザにより操作装置２にＣＨ変更の指示が入力されるときに、システム制御回路１８からアナログテレビジョン放送（ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式、ＰＡＬ（Ｐｈａｓｅ  Ａｌｔｅｒｎａｔｉｏｎ  ｂｙ  Ｌｉｎｅ）方式、またはＳＥＣＡＭ（ＳＥｑｕｅｎｔｉａｌ  Ｃｏｕｌｅｕｒ  Ａ  Ｍｅｍｏｉｒｅ）方式）等のＣＨ指定信号がチューナ６に供給される。チューナ６は、指定されたＣＨに対応するアナログテレビジョン放送波を受信する。このとき、チューナ６は、受信したアナログテレビジョン放送波を復調して得たＴＶ信号をＭＰＥＧエンコーダ８に供給する。ＭＰＥＧエンコーダ８は、システム制御回路１８のエンコード制御信号に基づいて、ＴＶ信号に対してＭＰＥＧ符号化処理を施す。ＭＰＥＧ符号化処理が施されたＴＶ信号は、ＭＰＥＧデータに変換される。そして、変換されたＭＰＥＧデータは、システム制御回路１８により、ハードディスク装置１０に書き込まれる。ハードディスク装置１０は、ＭＰＥＧデータをハードディスク２２に書き込むとともに、システム制御回路１８の読み出し制御信号により、ハードディスク２２から、書き込まれたＭＰＥＧデータの読み出しも行なう。そして、システム制御回路１８は、ＭＰＥＧデコーダ１２は、システム制御回路１８のデコード制御信号に基づいて、読み出されたＭＰＥＧデータに対して、ＭＰＥＧ復号処理を施す。ＭＰＥＧ復号処理が施されたＭＰＥＧデータは、ＴＶ信号に変換される。変換されたＴＶ信号は、システム制御回路１８により、出力端子１４を介して外部機器に出力される。外部機器としては、特に限定されないが、たとえば、ディスプレイ装置２００である。
【００２２】
ＯＳＤ画像生成回路２０は、システム制御回路１８から供給された各種情報表示信号に応じた画像を表示させるための情報表示画像を生成する。そして、生成された情報表示画像は、出力端子１４を介して外部に出力される。情報表示画像は、たとえば、番組に対応するチャンネルの表示画像を含む。
【００２３】
表示装置４は、システム制御回路１８から供給された各種情報表示信号に基づいて、再生・録画情報等の表示を行なう。
【００２４】
ディスプレイ装置２００は、情報記録再生装置１００から出力されるＴＶ信号、および、ＯＳＤ画像生成回路２０により生成される情報表示画像を表示する。
【００２５】
本発明に係る情報記録再生装置１００は、上述したように、受信したＴＶ信号をＭＰＥＧデータに変換して、一旦、ハードディスク装置１０に格納する。そして、格納されたＭＰＥＧデータを順次読み出して、再びＭＰＥＧデータを変換してＴＶ信号として出力することにより、ユーザは、リアルタイムで受信中のＴＶ信号に基づく映像、または、音声を視聴することができる。以下の説明では、チューナ６において受信されるＴＶ信号をＭＰＥＧデータに変換して、一時格納するとともに、巻き戻し等により、再生ポイントをずらして行なう再生をタイムシフト再生とする。
【００２６】
次に、ハードディスク２２に含まれ、データが書き込まれる記憶領域についての説明を行なう。
【００２７】
図２は、ハードディスク２２に含まれる記憶領域の内容を模式的に示す図である。
【００２８】
図２を参照して、ハードディスク２２は、タイムシフト再生を行なうためのリングバッファであるタイムシフト領域２２Ａと、情報を長期記録するための録画領域２２Ｂとを含む。なお、ハードディスク２２におけるタイムシフト領域２２Ａと録画領域２２Ｂの領域の大きさは、たとえば、ユーザにより操作装置２を介して入力された情報に基づいて決定される。また、ハードディスク２２において、タイムシフト領域２２Ａの位置および録画領域２２Ｂの位置は、システム制御回路１８内のメモリ２６に各領域のアドレスが記録されることにより、管理されている。
【００２９】
次に、ハードディスク２２にＭＰＥＧデータが書き込まれるときの情報記録再生装置１００の動作についての説明を行なう。
【００３０】
情報記録再生装置１００において、チューナ６から受信されるＴＶ信号は、ＭＰＥＧエンコーダ８において、ＭＰＥＧ符号化処理が施される。その後に、変換されたＭＰＥＧデータは、記録・再生ヘッド２４により、ハードディスク装置１０内のハードディスク２２に含まれるタイムシフト領域２２Ａに順次に書き込まれる。このとき、タイムシフト領域２２Ａは、リングバッファであるため、タイムシフト領域２２Ａ内のデータ量が許容量を超えるとき、タイムシフト領域２２Ａの先頭から上書きされる。
【００３１】
次に、上述したように、受信されるＴＶ信号から、変換されたＭＰＥＧデータをタイムシフト領域２２Ａ内に書き込むとともに、ハードディスク２２内に含まれるデータが指定された再生ポイントに対応するアドレスから読み出されるタイムシフト再生が行なわれるときの情報記録再生装置１００の動作についての説明を行なう。
【００３２】
情報記録再生装置１００において、操作装置２へのユーザの指示入力に応じて、タイムシフト再生が行なわれる。ユーザによる再生ポイントの指示に応じて、システム制御回路１８は、指定された再生ポイントに対応するタイムシフト領域２２Ａ内のアドレスから順次データの読み出しを開始する。システム制御回路１８は、アドレスの順序にしたがって、連続的にデータを読み出す。読み出されたＭＰＥＧデータは、ＭＰＥＧデコーダ１２において、ＭＰＥＧ復号処理が施されてＴＶ信号に変換される。変換されたＴＶ信号は、出力端子１４を介して、出力端子１４と接続されるディスプレイ装置２００に出力される。
【００３３】
図３は、本発明の実施の形態１の情報記録再生装置１００において、タイムシフト領域２２Ａ内に書き込まれるデータについて説明するための模式図である。
【００３４】
図３を参照して、タイムシフト領域２２Ａ内は、操作装置２へのユーザの指示に基づくＣＨ変更指示に応じて書き込まれるＣＨ情報データ３０と、ＣＨ変更されるまえのＣＨに対応するＭＰＥＧデータ２８と、変更されたＣＨに対応するＭＰＥＧデータ３２とを含む。
【００３５】
情報記録再生装置１００において、チューナ６から受信されるＴＶ信号は、ＭＰＥＧ符号化処理が施される。その後、変換されたデータは、ＭＰＥＧデータ２８として、ハードディスク装置１０に書き込まれる。このとき、ユーザの操作により操作装置２に、ＣＨ変更の指示が入力される場合、システム制御回路１８は、ＣＨ変更指示に応じて、変更されたＣＨの情報を含むＣＨ情報データ３０を生成する。そして、生成されたＣＨ情報データ３０は、システム制御回路１８により、ＣＨが変更される前に書き込まれたＭＰＥＧデータ２８の終端アドレスの後に連続的に書き込まれる。そして、書き込まれたＣＨ情報データ３０の終端アドレスの後に、ＣＨが変更された後に受信したＴＶ信号に対応するＭＰＥＧデータ３２が順次書き込まれていく。
【００３６】
図４は、ＭＰＥＧデータ２８およびＣＨ情報データ３０のデータ構造を説明するための模式図である。
【００３７】
図４（ａ）は、ＭＰＥＧデータ２８のデータ構造を説明するための模式図である。
【００３８】
図４（ａ）を参照して、ＭＰＥＧデータ２８は、ヘッダ部２８Ａと実データ部２８Ｂとに大別できる。このとき、ヘッダ２８部Ａには、データがＭＰＥＧ形式の動画データであることを示す情報、および、再生時間情報等の管理情報、または、書誌的情報が含まれる。また、実データ部２８Ｂには、動画データ本体が含まれる。
【００３９】
一方、図４（ｂ）は、ＣＨ情報データ３０のデータ構造を説明するための模式図である。
【００４０】
図４（ｂ）を参照して、ＣＨ情報データ３０は、ヘッダ部３０Ａと実データ部３０Ｂとに大別できる。このとき、ヘッダ部３０Ａには、データがＣＨ情報データであることを示す情報が含まれる。すなわち、システム制御回路１８は、データのヘッダを読み出すことにより、ハードディスク装置１０から読み出したデータが動画を含むＭＰＥＧデータとＣＨ情報を含むＣＨ情報データとのうち、どちらであるかを判断することができる。また、実データ部３０Ｂには、番組に対応するＭＰＥＧデータの一時格納中に変更されたＣＨの情報が含まれる。
【００４１】
システム制御回路１８は、ユーザにより指定される再生ポイントに対応するタイムシフト領域２２Ａ内のアドレスから読み出しを開始する。そして、システム制御回路１８は、ＣＨ情報データを読み出す毎に、メモリ２６内にＣＨ情報データに含まれるＣＨの情報を格納する。このとき、メモリ２６に含まれるＣＨの情報に基づいて、システム制御回路１８は、ＣＨ表示信号を生成する。そして、生成されたＣＨ表示信号は、ＯＳＤ画像生成回路２０に供給される。ＯＳＤ画像生成回路２０において、ＣＨ表示信号に基づいて、情報表示画像が生成される。生成された情報表示画像は、出力端子１４を介して、外部機器に出力される。情報記録再生装置１００に、ディスプレイ装置２００が接続される場合、ティスプレイ装置２００は、出力される情報表示画像に基づいて、ＣＨ表示を行なう。
【００４２】
次に、情報記録再生装置１００がＭＰＥＧデータの一時格納中に、ユーザによるＣＨ変更指示に応じて、ＣＨ情報データを生成して、ハードディスク２２に書き込むときの動作の説明を行なう。
【００４３】
図５は、システム制御回路１８がＣＨ情報データを生成して、ハードディスク２２に書き込むときの動作のフローチャートである。
【００４４】
図５を参照して、まず、チューナ６は、選択されたＣＨに対応するＴＶ信号を受信する（ステップＳ１０１）。
【００４５】
次に、ＭＰＥＧエンコーダ８は、システム制御回路１８のエンコード制御信号に基づいて、チューナ６において受信したＴＶ信号をＭＰＥＧデータにエンコードする（ステップＳ１０２）。
【００４６】
そして、ハードディスク装置１０は、システム制御回路１８の書き込み制御信号に応じて、エンコードされたＭＰＥＧデータをタイムシフト領域２２Ａにアドレスの順序に基づいて、一時格納する。（ステップＳ１０３）。
【００４７】
つづいて、ハードディスク装置１０は、システム制御回路１８の読み出し制御信号に応じて、タイムシフト領域２２Ａに格納されたデータを順次読み出していく（ステップＳ１０４）。
【００４８】
そして、ＭＰＥＧデコーダ１２は、システム制御回路１８のデコード制御信号に基づいて、読み出されたＭＰＥＧデータをＴＶ信号にデコードする（ステップＳ１０５）。
【００４９】
次に、システム制御回路１８は、出力端子１４を介して、ＭＰＥＧ復号処理が施されたＴＶ信号を外部に出力する（ステップＳ１０６）。
【００５０】
ここで、システム制御回路１８は、操作装置２に外部からのＣＨ変更の指示があるか否かの判断を行なう（ステップＳ１０７）。
【００５１】
ステップＳ１０７において、ＣＨ変更の指示がない場合、システム制御回路１８は、処理をステップＳ１０１に戻す。
【００５２】
一方、ステップＳ１０７において、ＣＨ変更の指示がある場合、システム制御回路１８は、ＣＨの変更に応じて、変更されたＣＨの情報を含むＣＨ情報データを生成する（ステップＳ１０８）。
【００５３】
次に、システム制御回路１８は、タイムシフト領域２２ＡのＣＨ変更の直前に書き込まれているＭＰＥＧデータの後に、ＣＨ情報データを書き込む（ステップＳ１０９）。
【００５４】
つづいて、システム制御回路１８は、処理をステップＳ１０１に戻す。そして、受信したＴＶ信号がＭＰＥＧデータに変換された後、システム制御回路１８は、ステップＳ１０８において、書き込んだＣＨ情報データの後に、変換されたＭＰＥＧデータを順次書き込んでいく。
【００５５】
次に、本発明の実施の形態１における情報再生記録装置１００が、一時格納したＭＰＥＧデータを指定された再生ポイントに対応するアドレスから順次読み出していくときに、タイムシフト再生中の番組に対応するチャンネルの表示を行なう動作を説明する。
【００５６】
図６は、タイムシフト再生中に、タイムシフト領域２２Ａから読み出されるＭＰＥＧデータに対応する再生ＣＨを表示する動作のフローチャートである。
【００５７】
図６を参照して、まず、チューナ６において受信されるＴＶ信号をＭＰＥＧデータにエンコードし、変換されたＭＰＥＧデータをタイムシフト領域２２Ａ内に一時格納しているときに、ユーザは、巻き戻し等により、タイムシフト領域２２Ａに格納されたＭＰＥＧデータの再生ポイントを操作装置２への入力による指示を行なう。
【００５８】
システム制御回路１８は、ユーザにより指定された再生ポイントに対応するタイムシフト領域２２Ａ内のアドレスからタイムシフト再生を開始する（ステップＳ２０１）。
【００５９】
そして、タイムシフト再生が開始されると、ハードディスク装置１０は、システム制御回路１８の読み出し制御信号により、タイムシフト領域２２Ａ内のアドレスの順序に基づいて、アドレスに対応するデータを読み出す（ステップＳ２０２）。
【００６０】
つづいて、システム制御回路１８は、タイムシフト領域２２Ａから読み出されたデータのヘッダより、読み出されたデータがＣＨ情報データであるか否かを判断する（ステップＳ２０３）。
【００６１】
ステップＳ２０３において、読み出されたデータがＣＨ情報データではない場合、ハードディスク装置１０は、システム制御回路１８の読み出し制御信号に基づいて、ＭＰＥＧデータに含まれる実データを読み出す。そして、ＭＰＥＧデコーダ１２は、システム制御回路１８のデコード制御信号に基づいて、読み出されたＭＰＥＧデータをデコードする（ステップＳ２０４）。
【００６２】
つづいて、システム制御回路１８は、出力端子１４を介して、デコードされたＴＶ信号を外部に出力する（ステップＳ２０５）。
【００６３】
そして、システム制御回路１８は、処理をステップＳ２０２に戻す。
一方、ステップＳ２０３において、読み出されたデータがＣＨ情報データである場合、ハードディスク装置１０は、システム制御回路１８の読み出し制御信号により、ＣＨ情報データに含まれる実データを読み出す。そして、メモリ２６は、システム制御回路１８のメモリ制御信号に基づいて、読み出されたＣＨ情報データに含まれるＣＨ情報を格納する（ステップＳ２０６）。
【００６４】
つづいて、システム制御回路１８は、メモリ２６に書き込まれたＣＨ情報に基づいて、ＣＨ表示を行なうためのＣＨ表示信号を生成する（ステップＳ２０７）。
【００６５】
そして、ＯＳＤ画像生成回路２０は、システム制御回路１８から供給されるＣＨ表示信号に基づいて、ＣＨ表示画像を生成する。そして、ＯＳＤ画像生成回路２０は、出力端子１４を介して外部にＣＨ表示画像を出力する（ステップＳ２０８）。
【００６６】
つづいて、システム制御回路１８は、処理をステップＳ２０２に戻す。
次に、本発明の実施の形態１における情報記録再生装置１００において、ＭＰＥＧデータの一時格納中に、タイムシフトさせて再生を行なうときのＣＨ表示について説明を行なう。
【００６７】
図７は、ＭＰＥＧデータの一時格納中および、タイムシフト再生中に変更されるＣＨを示すタイムチャートである。
【００６８】
図７（ａ）は、ＭＰＥＧデータをタイムシフト領域２２Ａに一時格納するときのタイムチャートである。
【００６９】
図７（ａ）を参照して、まず、ＭＰＥＧデータの一時格納が開始されるときに１ＣＨの番組に対応するＭＰＥＧデータをタイムシフト領域２２Ａに一時格納する。そして、操作装置２にユーザからの２ＣＨへのチャンネル変更の指示を受けると、システム制御回路１８は、２ＣＨの情報データをタイムシフト領域２２Ａに書き込む。同様に、操作装置２へのユーザから３ＣＨおよび４ＣＨのチャンネル変更の指示に応じて、システム制御回路１８は、３ＣＨの情報データおよび４ＣＨの情報データをそれぞれタイムシフト領域２２Ａに書き込む。
【００７０】
図７（ｂ）は、ユーザによる再生ポイントの指示に応じて、タイムシフト再生中の再生ＣＨの表示を行なうときタイムチャートである。
【００７１】
図７（ｂ）を参照して、情報記録再生装置１００は、ユーザの指示に応じて、巻き戻しなどにより１ＣＨの途中を再生ポイントとして指定される。そして、システム制御回路１８は、タイムシフト再生中に、２ＣＨの情報データを読み出すと、２ＣＨに対応するＭＰＥＧデータを再生する前に、２ＣＨの情報データをメモリ２６に書き込む。そのため、システム制御回路１８は、メモリ２６に書き込まれた２ＣＨの情報データに基づいて、再生ＣＨのＣＨ表示信号を生成する。そして、システム制御回路１８から供給されるＣＨ表示信号に基づいて、ＯＳＤ画像生成回路２０は、再生ＣＨのＣＨ表示画像を生成する。そして、ＯＳＤ画像生成回路２０が出力端子１４を介して、再生ＣＨのＣＨ表示画像を外部に出力させることにより、ディスプレイ装置２００において、タイムシフト再生中の２ＣＨのＣＨ表示を可能とする。同様に、情報記録再生装置１００は、３ＣＨの情報データ、４ＣＨの情報データを読み出す毎に、３ＣＨおよび４ＣＨに対応するＭＰＥＧデータが再生される前に、３ＣＨのＣＨ表示および４ＣＨのＣＨ表示の出力をそれぞれ可能とする。
【００７２】
以上説明したとおり、本発明の実施の形態１における情報記録再生装置１００において、ユーザの指示により、選択されたＣＨの情報をタイムシフト領域２２Ａにチャンネル情報データとしてタイムシフト領域２２Ａの変更される前のＣＨに対応するＭＰＥＧデータと、変更された後のＣＨに対応するＭＰＥＧデータとの間に書き込むことができる。
【００７３】
したがって、タイムシフト再生を行なう場合、ＣＨが変更された時点で、ＣＨ情報データを読み込むことが可能となる。そのため、接続されたディスプレイ装置２００の画面上に、再生されるＭＰＥＧデータに対応する再生ＣＨの表示を出力することができる。
【００７４】
その結果、ユーザは、タイムシフト再生中に、再生される番組のＣＨを把握することができる。
【００７５】
［実施の形態２］
次に、本発明の実施の形態３における情報記録再生装置の説明を行なう。本発明の実施の形態２における情報記録再生装置の構成は、実施の形態１において説明した制御部１６がハードディスク２２からチャンネル情報データを読み込んで、出力端子１４を介して、ＣＨ表示画像を外部に出力するためのソフトウェアの構成を除いては、図１の情報記録再生装置１００のハードウェアの構成と同じである。そのため、情報記録再生装置１００のハードウェアの構成についての説明は、繰り返さない。
【００７６】
本発明の実施の形態２における情報記録再生装置１００の動作については、以下の点で実施の形態１における情報記録再生装置１００の動作と異なる。
【００７７】
すなわち、図６における、情報記録再生装置１００が、タイムシフト再生中に、タイムシフト領域２２Ａから読み出されたＭＰＥＧデータに対応する再生ＣＨを表示する動作のフローチャートのステップＳ２０８において、システム制御回路１８により、メモリ２６に含まれるＣＨの情報に基づいて、生成されたＣＨ表示信号は、表示装置４に供給される。そして、表示装置４は、供給されたＣＨ表示信号に基づいて、ＣＨの表示を行なう。したがって、表示装置４は、タイムシフト再生中の番組に対応する再生ＣＨの表示を行なうことができる。
【００７８】
このとき、システム制御回路１８は、ＣＨ表示信号を、表示装置４への供給とともに、実施の形態１と同様にＯＳＤ画像生成回路２０に供給してもよい。したがって、ＣＨ表示信号に基づいて、ＯＳＤ画像生成回路２０は、ＣＨ表示画像を生成して、出力端子１４を介して、外部に出力する。
【００７９】
すなわち、本発明の実施の形態２における情報記録再生装置１００は、表示装置４による表示およびＯＳＤ画像生成回路２０による外部への出力のうちの少なくとも一方を行なうことができる。
【００８０】
以上説明したとおり、本発明の実施の形態２における情報記録再生装置１００において、ユーザの指示により、選択されたＣＨの情報をタイムシフト領域２２Ａにチャンネル情報データとしてタイムシフト領域２２Ａの変更される前のＣＨに対応するＭＰＥＧデータと、変更された後のＣＨに対応するＭＰＥＧデータとの間に書き込むことができる。
【００８１】
したがって、タイムシフト再生を行なう場合、ＣＨが変更された時点で、ＣＨ情報データを読み込むことが可能となる。そのため、筐体１に設けられる表示装置４は、再生されるＭＰＥＧデータに対応する再生ＣＨの表示を行なうことができる。
【００８２】
その結果、ユーザは、タイムシフト再生中に、表示装置４により、再生される番組のＣＨを把握することができる。
【００８３】
また、本発明の実施の形態２における表示装置４による再生ＣＨの表示と、実施の形態１におけるディスプレイ装置２００への再生ＣＨの表示画像の出力とのうちの少なくとも一方を行なってもよい。その結果、ユーザは、表示装置４およびディスプレイ装置２００のうちの少なくとも一方により、再生される番組のＣＨを把握することができる。
【００８４】
［実施の形態３］
次に、本発明の実施の形態３における情報記録再生装置の説明を行なう。本発明の実施の形態３における情報記録再生装置の構成は、実施の形態１において説明した制御部１６がハードディスク２２からチャンネル情報データを読み込んで、出力端子１４を介して、ＣＨ表示画像を出力するためのソフトウェアの構成を除いては、図１の情報記録再生装置１００のハードウェアの構成と同じである。そのため、情報記録再生装置１００のハードウェアの構成の説明は繰り返さない。
【００８５】
本発明の実施の形態３における情報記録再生装置１００の動作については、以下の点で実施の形態１における情報記録再生装置１００の動作と異なる。
【００８６】
すなわち、システム制御回路１８は、ＣＨ表示信号を生成するときに、タイムシフト再生中のＭＰＥＧデータに対応する再生ＣＨの表示に並行して、一時格納中の番組に対応する録画ＣＨの表示も行なう。
【００８７】
つまり、システム制御回路１８は、番組の一時格納中にユーザの指示により、チャンネルが変更される毎に、チャンネル情報データを生成し、タイムシフト領域２２Ａに書き込む動作と並行して、メモリ２６に変更されたチャンネル情報を保持する。そして、システム制御回路１８は、メモリ２６に格納されたチャンネル情報に基づいて、再生ＣＨおよび録画ＣＨの表示を行なうためのＣＨ表示信号を生成する。
【００８８】
ＯＳＤ画像生成回路２０は、システム制御回路１８から供給されたＣＨ表示信号に基づいて、ＣＨ表示画像を生成する。そして、ＯＳＤ画像生成回路２０は、生成されたＣＨ表示画像を、出力端子１４を介して、外部機器に出力する。そして、タイムシフト再生中においては、一時格納中の番組に対応する録画ＣＨのＣＨ表示と並行して、タイムシフト領域２２Ａに含まれるチャンネル情報データを読み出す毎に、タイムシフト再生中のＭＰＥＧデータに対応する再生ＣＨのＣＨ表示を行なう。
【００８９】
または、表示装置４は、システム制御回路１８から供給されるＣＨ表示信号に基づいて、タイムシフト再生中に一時格納中の番組に対応する録画ＣＨのＣＨ表示と並行して、タイムシフト領域２２Ａに含まれるチャンネル情報データを読み出す毎に、タイムシフト再生中のＭＰＥＧデータに対応する再生ＣＨのＣＨ表示を行なってもよい。
【００９０】
すなわち、システム制御回路１８は、ＯＳＤ画像生成回路２０によるＣＨ表示画像の出力と、表示装置４によるＣＨ表示とのうちの少なくとも一方を行なうことが可能となる。
【００９１】
以上説明したとおり、本発明の実施の形態３における情報記録再生装置１００において、ユーザの指示により、タイムシフト再生を行なう場合、タイムシフト再生中のＭＰＥＧデータに対応する再生ＣＨの表示と、一時格納中の番組に対応する録画ＣＨの表示を並行して行なうことにより、ユーザは、タイムシフト再生中のＭＰＥＧデータに対応する再生ＣＨと、一時格納中の番組に対応する録画ＣＨとを混同せずに把握することが可能となる。
【００９２】
また、このとき、ディスプレイ装置２００による再生ＣＨの表示と、表示装置４による録画ＣＨと再生ＣＨの表示を行なってもよい。または、ディスプレイ装置２００による再生ＣＨと録画ＣＨの表示と、表示装置４による再生ＣＨの表示を行なってもよい。その結果、ユーザは、表示装置４およびディスプレイ装置２００により、タイムシフト再生中の番組のＣＨと一時格納中の番組のＣＨとを把握することができる。
【００９３】
このように、ユーザの指示により、変更されたＣＨの情報をタイムシフト領域２２Ａにチャンネル情報データとしてタイムシフト領域２２Ａの変更される前のＣＨに対応するＭＰＥＧデータと、変更された後のＣＨに対応するＭＰＥＧデータとの間に書き込むことにより、タイムシフト再生を行なう場合、ＣＨが変更された時点で、ＣＨ情報データを読み込むことが可能となる。
【００９４】
そのため、たとえば、情報記録再生装置１００は、少なくとも再生されるＭＰＥＧデータに対応する再生ＣＨの表示を出力端子１４から出力することができる。すなわち、ディスプレイ装置２００の画面上に少なくとも再生ＣＨの表示を行なうことができる。
【００９５】
または、筐体１に設けられる表示装置４により、再生ＣＨおよび録画ＣＨのうちの少なくとも一方を表示してもよい。
【００９６】
なお、ＣＨ表示は、ディスプレイ装置２００の画面上に再生ＣＨおよび録画ＣＨのうちの両方のＣＨ表示を行なってもよいし、表示装置４に再生ＣＨおよび録画ＣＨのうちの両方のＣＨ表示を行なってもよい。
【００９７】
その結果、ユーザは、タイムシフト再生中に、再生される番組のＣＨをディスプレイ装置２００の画面上、あるいは、表示装置４により把握することができる。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９９】
【発明の効果】
入力手段によるチャンネル変更指示に応じて、変更されたチャンネルの情報を含むチャンネル情報データを生成するためのチャンネル情報データ生成手段と、チャンネル情報データを一時保存領域に格納するためのチャンネル情報データ記録手段と、チャンネル情報データに基づいて、チャンネル表示信号を生成し、出力することにより、タイムシフト再生中に、再生される番組において、チャンネルが変更された時点で、変更されたチャンネルに表示を変更することが可能となる。
【図面の簡単な説明】
【図１】本発明のデータ記録再生装置の一例である情報記録再生装置１００の構成を示すための機能ブロック図である。
【図２】ハードディスク２２に含まれる記憶領域の内容を模式的に示す図である。
【図３】本発明の実施の形態１の情報記録再生装置１００において、タイムシフト領域２２Ａ内に書き込まれるデータについて説明するための模式図である。
【図４】ＭＰＥＧデータ２８およびＣＨ情報データ３０のデータ構造を説明するための模式図である。
【図５】システム制御回路１８がＣＨ情報データを生成して、ハードディスク２２に書き込むときの動作のフローチャートである。
【図６】タイムシフト再生中に、タイムシフト領域２２Ａから読み出されるＭＰＥＧデータに対応する再生ＣＨを表示する動作のフローチャートである。
【図７】ＭＰＥＧデータの一時格納中および、タイムシフト再生中に変更されるＣＨを示すタイムチャートである。
【符号の説明】
１  筐体、２  操作装置、４  表示装置、６  チューナ、８  ＭＰＥＧエンコーダ、１０  ハードディスク装置、１２  ＭＰＥＧデコーダ、１４  出力端子、１６  制御部、１８  システム制御回路、２０  ＯＳＤ画像生成回路、２２  ハードディスク、２２Ａ  タイムシフト領域、２２Ｂ  録画領域、２４  記録・再生ヘッド、２６  メモリ、２８，３２  ＭＰＥＧデータ、３０  ＣＨ情報データ、２８Ａ，３０Ａ  ヘッダ部、２８Ｂ，３０Ｂ  実データ部、１００  情報記録再生装置、２００  ディスプレイ装置。
【図１】
2004350142.tif 000003
【図２】
2004350142.tif 000004
【図３】
2004350142.tif 000005
【図４】
2004350142.tif 000006
【図５】
2004350142.tif 000007
【図６】
2004350142.tif 000008
【図７】
2004350142.tif 000009